(57)【要約】【課題】  順次伝送される電源電圧の電圧降下を防止して駆動用ＩＣの誤動作を防止し、表示品位を向上することができる表示装置を提供する。【解決手段】  液晶表示パネル２の周縁部に、駆動用ＩＣＳＤを備えたソース駆動回路ＳＴが複数個接続され、外部からの電源電圧が特定のソース駆動回路ＳＴから隣接するソース駆動回路に順次供給される液晶表示装置において、電圧供給方向上流側に位置する駆動用ＩＣＳＤｉに対して、駆動用ＩＣＳＤｉから電圧供給方向下流側に隣接する駆動用ＩＣまでの信号配線とほぼ等価な配線抵抗算出用配線Ｒｉを形成する。駆動用ＩＣＳＤｉは、配線抵抗算出用配線Ｒｉの一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側の駆動用ＩＣに出力する。【選択図】        図２
2005284026.tif 000002
【特許請求の範囲】
【請求項１】
表示パネルの周縁部に、基板上に駆動用ＩＣを実装した駆動回路を複数個接続し、隣接する駆動回路どうしは前記表示パネルに形成された接続用配線によって接続され、外部の制御回路から前記駆動用ＩＣおよび前記表示パネルの駆動に必要な電源電圧を前記複数の駆動回路の少なくとも１つに供給し、該駆動回路から隣接する駆動回路に前記電源電圧を順次供給するように構成した表示装置において、電圧供給方向上流側に位置する駆動用ＩＣに対して、該駆動用ＩＣから電圧供給方向下流側に隣接する駆動回路の駆動用ＩＣまでの信号配線とほぼ等価な配線抵抗算出用配線を形成し、前記上流側駆動用ＩＣは、前記配線抵抗算出用配線の一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側駆動回路に向けて出力することを特徴とする表示装置。
【請求項２】
請求項１に記載の表示装置において、前記配線抵抗算出用配線は、駆動回路を構成する基板から前記表示パネルを経由して再び前記基板に戻るように形成されていることを特徴とする表示装置。
【請求項３】
表示パネルの周縁部に、複数個の駆動用ＩＣを接続し、隣接する駆動用ＩＣどうしは前記表示パネルに形成された接続用配線によって接続され、外部の制御回路から前記駆動用ＩＣおよび前記表示パネルの駆動に必要な電源電圧を前記複数個の駆動用ＩＣの少なくとも１つに供給し、該駆動用ＩＣから隣接する駆動用ＩＣに前記電源電圧を順次供給するように構成した表示装置において、電圧供給方向上流側に位置する駆動用ＩＣに対して、該駆動用ＩＣから電圧供給方向下流側に隣接する駆動用ＩＣまでの信号配線とほぼ等価な配線抵抗算出用配線を形成し、前記上流側駆動用ＩＣは、前記配線抵抗算出用配線の一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側駆動用ＩＣに向けて出力することを特徴とする表示装置。
【請求項４】
請求項１〜３のいずれかに記載の表示装置において、前記駆動用ＩＣは、電源電圧が入力される電源電圧入力端子と、配線抵抗値を算出するために用いる算出用電圧を作成する算出用電圧作成部と、該算出用電圧作成部からの算出用電圧を前記配線抵抗算出用配線の一端に出力する算出用電圧出力端子と、前記配線抵抗算出用配線の他端からの出力電圧が入力される検出端子と、前記算出用電圧と前記検出端子からの検出電圧とに基づいて配線抵抗値を算出する配線抵抗算出部と、前記電源電圧入力端子から入力された電源電圧が与えられるとともに算出された配線抵抗値に基づいて電圧降下値を算出して前記電源電圧の電圧値を算出した電圧降下値分だけ加算する電源電圧加算部と、該電源電圧加算部からの電源電圧を出力する電源電圧出力端子とを備えていることを特徴とする表示装置。
【請求項５】
請求項１〜４のいずれかに記載の表示装置において、前記電源電圧は、駆動用ＩＣの動作用電源電圧および表示パネルに供給する表示用電源電圧であることを特徴とする表示装置。
【発明の詳細な説明】
【技術分野】
【０００１】
本発明は、信号入力端子が周縁部に形成された液晶表示パネルなどの表示パネルの周縁部に、前記信号入力端子に信号を供給する複数個の駆動用ＩＣ（Integrated Circuit：集積回路）が接続されて構成された表示装置に関するものである。
【背景技術】
【０００２】
信号入力端子が周縁部に形成された液晶表示パネルに、前記信号入力端子に信号を供給する駆動用ＩＣを接続するための実装構造としては、ＴＣＰ（Tape Carrier Package：テープキャリアパッケージ）方式が主に採用されていた。ＴＣＰとは、フレキシブル基材上に、駆動用ＩＣと、駆動用ＩＣに外部信号を供給するための信号入力配線と、駆動用ＩＣからの駆動信号を液晶表示パネルに供給するための信号出力配線とを配置して構成したものである。外部信号とは、画像データ、ＩＣ駆動用アナログ電源電圧、階調表示用の階調電源電圧などである。
【０００３】
ＴＣＰ方式の液晶表示装置は、たとえばＴＦＴ（Thin Film Transistor：薄膜トランジスタ）を用いたアクティブマトリクス型の液晶表示パネルの場合、液晶表示パネルの周縁部に、液晶表示パネルのゲート信号線およびソース信号線に信号を供給するためのゲートＴＣＰおよびソースＴＣＰが接続されるとともに、外部信号を供給するための外部回路基板が各ＴＣＰに接続されて構成されている。ＴＣＰの信号入力配線は、外部回路基板の出力端子に接続されており、外部回路基板からの外部信号が駆動用ＩＣに供給される。また、ＴＣＰの信号出力配線は、液晶表示パネルの信号入力端子に接続されており、駆動用ＩＣからの駆動信号が液晶表示パネルに供給される。
【０００４】
しかしながら、このＴＣＰ方式の液晶表示装置は、外部信号を外部回路基板から各ＴＣＰに直接個別に入力する方式であるので、外部回路基板上に非常に多数の配線が必要となる。そのため、製造工程の複雑化、コストアップ、信頼性の低下等の問題が生じている。
【０００５】
そこで、近年では、上述したＴＣＰ方式に代わって、外部回路基板から１つのＴＣＰに入力した外部信号を隣接するＴＣＰに順次伝送させていくいわゆる信号伝送方式が導入されてきている。このような信号伝送方式の液晶表示装置は、たとえば特許文献１に記載されている。
【０００６】
この信号伝送方式の液晶表示装置では、ＴＣＰは、フレキシブル基材上に、駆動用ＩＣと、駆動用ＩＣに外部信号を供給するための信号入力配線と、駆動用ＩＣからの駆動信号を液晶表示パネルに供給するための信号出力配線と、さらに隣接するＴＣＰに液晶表示パネルを駆動するために必要な外部信号を出力するための中継配線とを配置して構成されている。一方、液晶表示パネルには、ＴＣＰが接続される周縁部であって、隣接する２つのＴＣＰが接続される部分の間隙部に、２つのＴＣＰを電気的に接続するための接続用配線が形成されている。
【０００７】
信号伝送方式の液晶表示装置では、外部回路基板からの外部信号は、特定のＴＣＰに入力される。外部信号が入力されたＴＣＰでは、必要な外部信号が信号入力配線を介して駆動用ＩＣに供給され、駆動用ＩＣからの駆動信号は信号出力配線を介して液晶表示パネルに供給される。また、外部信号が入力されたＴＣＰでは、外部信号の一部が中継配線に供給され、この外部信号の一部は、液晶表示パネルの接続用配線を介して隣接するＴＣＰの信号入力配線に供給される。また、隣接するＴＣＰにおいても同様に、必要な外部信号が駆動用ＩＣに入力されるとともに、外部信号の一部が中継配線および接続用配線を介して隣接するＴＣＰに供給される。
【０００８】
このように信号伝送方式の液晶表示装置では、外部回路基板からの外部信号は、特定のＴＣＰに入力され、この特定のＴＣＰから隣接するＴＣＰに順次伝送されていく。
【特許文献１】特開２００１−５６４８１号公報
【発明の開示】
【発明が解決しようとする課題】
【０００９】
このように信号伝送方式の液晶表示装置によれば、従来のＴＣＰ方式の液晶表示装置に比べて、外部回路基板からＴＣＰに外部信号を入力するために必要な配線数を大幅に削減できるので、製造コストの低減を図ることができる。
【００１０】
しかしながら、信号伝送方式は特定のＴＣＰに入力された外部信号を隣接するＴＣＰに順次伝送する方式であるため、外部信号を伝送する信号配線が長くなり、配線抵抗が高くなるという問題がある。また、ＴＣＰや液晶表示パネルには、駆動用ＩＣのための信号配線や液晶表示パネルの駆動のための信号配線が多数形成されており、外部信号を伝送する信号配線を形成するためのスペースは制限されてしまうので、外部信号を伝送する信号配線の幅や厚みを大きくすることができず、このことも配線抵抗を高くする要因となっている。さらに、信号配線の高抵抗化は、伝送する外部信号、特に電源電圧の電圧降下を招き、駆動用ＩＣの誤動作の原因になっている。
【００１１】
また、伝送する電源電圧の電圧降下量は、伝送方向下流側に向かうに従って大きくなるので、駆動用ＩＣから液晶表示パネルに出力される駆動信号が、上流側と下流側とで差が生じることになる。そのため、たとえば同じ階調で表示を行おうとした場合に、上流側と下流側とで階調にばらつきが生じてしまう。したがって、信号配線の高抵抗化は、液晶表示装置の表示品位を低下させる原因にもなっている。
【００１２】
上記特許文献１に記載されている液晶表示装置においては、ＴＣＰに形成される信号配線の配置場所や形状を工夫することによって信号配線の低抵抗化を図っているが、必ずしも充分ではない。
【００１３】
本発明は、このような従来技術における問題点に着目してなされたものであって、順次伝送される電源電圧の電圧降下を防止して駆動用ＩＣの誤動作を防止し、表示品位を向上することができる表示装置を提供することを目的とする。
【課題を解決するための手段】
【００１４】
本発明に係る表示装置は、表示パネルの周縁部に、基板上に駆動用ＩＣを実装した駆動回路を複数個接続し、隣接する駆動回路どうしは前記表示パネルに形成された接続用配線によって接続され、外部の制御回路から前記駆動用ＩＣおよび前記表示パネルの駆動に必要な電源電圧を前記複数の駆動回路の少なくとも１つに供給し、該駆動回路から隣接する駆動回路に前記電源電圧を順次供給するように構成した表示装置において、電圧供給方向上流側に位置する駆動用ＩＣに対して、該駆動用ＩＣから電圧供給方向下流側に隣接する駆動回路の駆動用ＩＣまでの信号配線とほぼ等価な配線抵抗算出用配線を形成し、前記上流側駆動用ＩＣは、前記配線抵抗算出用配線の一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側駆動回路に向けて出力することを特徴とする。
【００１５】
また上記表示装置において、前記配線抵抗算出用配線は、駆動回路を構成する基板から前記表示パネルを経由して再び前記基板に戻るように形成されていることを特徴とする。
【００１６】
また本発明に係る表示装置は、表示パネルの周縁部に、複数個の駆動用ＩＣを接続し、隣接する駆動用ＩＣどうしは前記表示パネルに形成された接続用配線によって接続され、外部の制御回路から前記駆動用ＩＣおよび前記表示パネルの駆動に必要な電源電圧を前記複数個の駆動用ＩＣの少なくとも１つに供給し、該駆動用ＩＣから隣接する駆動用ＩＣに前記電源電圧を順次供給するように構成した表示装置において、電圧供給方向上流側に位置する駆動用ＩＣに対して、該駆動用ＩＣから電圧供給方向下流側に隣接する駆動用ＩＣまでの信号配線とほぼ等価な配線抵抗算出用配線を形成し、前記上流側駆動用ＩＣは、前記配線抵抗算出用配線の一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側駆動用ＩＣに向けて出力することを特徴とする。
【００１７】
また上記表示装置において、前記駆動用ＩＣは、電源電圧が入力される電源電圧入力端子と、配線抵抗値を算出するために用いる算出用電圧を作成する算出用電圧作成部と、該算出用電圧作成部からの算出用電圧を前記配線抵抗算出用配線の一端に出力する算出用電圧出力端子と、前記配線抵抗算出用配線の他端からの出力電圧が入力される検出端子と、前記算出用電圧と前記検出端子からの検出電圧とに基づいて配線抵抗値を算出する配線抵抗算出部と、前記電源電圧入力端子から入力された電源電圧が与えられるとともに算出された配線抵抗値に基づいて電圧降下値を算出して前記電源電圧の電圧値を算出した電圧降下値分だけ加算する電源電圧加算部と、該電源電圧加算部からの電源電圧を出力する電源電圧出力端子とを備えていることを特徴とする。
【００１８】
また上記表示装置において、前記電源電圧は、駆動用ＩＣの動作用電源電圧および表示パネルに供給する表示用電源電圧であることを特徴とする。
【発明の効果】
【００１９】
本発明の表示装置によれば、電圧供給方向上流側の駆動用ＩＣは、配線抵抗算出用配線を用いて算出した電圧降下値分だけ電圧値を引き上げた電源電圧を下流側駆動回路に向けて出力する。出力された電源電圧は、駆動回路を構成する基板上の信号配線や表示パネル上の接続用配線を通って、下流側駆動回路の駆動用ＩＣに供給される。
【００２０】
下流側駆動用ＩＣに供給される電源電圧は、配線を通ることによって電圧値が降下するけれども、上流側駆動用ＩＣから出力される時点で電圧降下値分だけ予め電圧値が引き上げられているので、下流側駆動用ＩＣに供給される電源電圧は、駆動用ＩＣが正常に動作するのに必要な電圧値となる。したがって、下流側駆動用ＩＣには、それぞれ適正な電圧値の電源電圧が供給されるので、駆動用ＩＣの誤動作を防止することができる。これによって、表示装置を正常に動作させることができる。
【００２１】
また本発明の表示装置によれば、駆動回路を構成する基板から表示パネルを経由して再び前記基板に戻るように配線抵抗算出用配線を形成するので、上流側駆動用ＩＣから下流側駆動用ＩＣまでの信号配線とほぼ等価な条件で配線抵抗算出用配線を形成することができる。すなわち、上流側駆動用ＩＣと下流側駆動用ＩＣとの間の配線は、上流側駆動回路の基板上の配線と、表示パネル上の接続用配線と、下流側駆動回路の基板上の配線との３つの配線に区分される。一方、配線抵抗算出用配線も、駆動回路を構成する基板から表示パネルを経由して再び前記基板に戻るように形成されているので、駆動回路を構成する基板上の第１の配線と、表示パネル上の配線と、前記基板上の第２の配線との３つの配線に区分される。
【００２２】
そして、第１の配線が上流側駆動回路の基板上の配線に対応し、表示パネル上の配線が表示パネル上の接続用配線に対応し、第２の配線が下流側駆動回路の基板上の配線に対応することになる。したがって、上流側駆動用ＩＣから下流側駆動用ＩＣまでの信号配線とほぼ等価な条件で配線抵抗算出用配線を形成することができる。これによって、上流側駆動用ＩＣから下流側駆動用ＩＣまでの信号配線の配線抵抗値および電圧降下値を、精度よく求めることができる。
【００２３】
本発明の表示装置によれば、電圧供給方向上流側の駆動用ＩＣは、配線抵抗算出用配線を用いて算出した電圧降下値分だけ電圧値を引き上げた電源電圧を下流側駆動用ＩＣに向けて出力する。出力された電源電圧は、接続用配線を通って、下流側駆動用ＩＣに供給される。下流側駆動用ＩＣに供給される電源電圧は、接続用配線を通ることによって電圧値が降下するけれども、上流側駆動用ＩＣから出力される時点で電圧降下値分だけ予め電圧値が引き上げられているので、下流側駆動用ＩＣに供給される電源電圧は、駆動用ＩＣが正常に動作するのに必要な電圧値となる。したがって、下流側駆動用ＩＣには、それぞれ適正な電圧値の電源電圧が供給されるので、駆動用ＩＣの誤動作を防止することができる。これによって、表示装置を正常に動作させることができる。
【００２４】
また本発明の表示装置によれば、上流側で隣接する駆動用ＩＣから供給される電源電圧は、接続用配線を介して電源電圧入力端子から駆動用ＩＣに入力される。駆動用ＩＣは、入力された電源電圧に基づいて所定の動作を実行して駆動信号を表示パネルに出力する。一方、駆動用ＩＣでは、算出用電圧作成部で作成した算出用電圧を算出用電圧出力端子から配線抵抗算出用配線の一端に出力し、該配線抵抗算出用配線の他端からの出力電圧を検出端子から入力する。配線抵抗算出部では、出力した算出用電圧と検出端子から入力した検出電圧とに基づいて配線抵抗値が算出され、さらに電源電圧加算部では、算出された配線抵抗値に基づいて電圧降下値が算出され、算出された電圧降下値分だけ電源電圧の電圧値が加算される。電源電圧加算部からの電源電圧は、電源電圧出力端子から出力され、接続用配線を介して、下流側で隣接する駆動用ＩＣに供給される。このような構成によって、配線抵抗による電圧降下値分だけ加算された電源電圧を下流側の駆動用ＩＣに供給することができる。
【００２５】
また本発明の表示装置によれば、各駆動用ＩＣに動作用の電源電圧が適正な電圧値で供給されるので、駆動用ＩＣの誤動作が防止され、表示装置を正常に動作させることができる。また、各駆動用ＩＣに表示用電源電圧が適正な電圧値で供給されるので、各駆動用ＩＣから表示パネルにそれぞれ適正な駆動信号を供給することができ、階調のばらつきなどの表示ムラが低減され、表示装置の表示品位を向上することができる。
【発明を実施するための最良の形態】
【００２６】
図１は、本発明の一実施形態である液晶表示装置１の概略的構成を示す平面図である。液晶表示装置１は、液晶表示パネル２と、液晶表示パネル２の周縁部に配置される制御回路３および複数の駆動回路ＳＴ１〜ＳＴ７，ＧＴ１とを備えて構成される。
【００２７】
液晶表示パネル２は、たとえばＴＦＴを用いたアクティブマトリクス型の液晶表示パネルである。ＴＦＴを用いたアクティブマトリクス型の液晶表示パネルは、ガラスなどの透明基板上に行列状に配列された複数の画素電極に対応させてそれぞれスイッチング素子としてのＴＦＴが設けられているアクティブマトリクス基板と、透明基板のほぼ全面に１枚の共通電極が形成されている対向基板との間に液晶層を介在させて構成されている。
【００２８】
アクティブマトリクス基板は、透明基板上に、互いに平行な複数のゲート信号線と、ゲート信号線に直交するとともに互いに平行な複数のソース信号線とを形成し、ゲート信号線とソース信号線とで区画された矩形領域内に画素電極とＴＦＴとを形成して構成されている。ＴＦＴのドレインには画素電極が接続され、ゲートにはゲート信号線が接続され、ソースにはソース信号線が接続されている。一方、ゲート信号線はその一端が透明基板の一辺側周縁部まで延びて形成され、該一端部が入力端子となる。また、ソース信号線もその一端が透明基板の一辺側周縁部まで延びて形成され、該一端が入力端子となる。なお、ゲート信号線とソース信号線とは、上述したように互いに直交する方向に形成されているので、ゲート信号線の入力端子が形成される一辺側周縁部と、ソース信号線の入力端子が形成される一辺が周縁部とは、図１に示すように、透明基板上で隣接する位置関係となる。
【００２９】
ソース信号線の入力端子には、ソース駆動回路ＳＴ１〜ＳＴ７（総称するときは、参照符号「ＳＴ」を用いる。）が接続される。ソース駆動回路ＳＴは、ＴＣＰによって構成される。たとえば、ソース駆動回路ＳＴ１は、フレキシブル基板ＳＢ１上に駆動用ＩＣＳＤ１を実装するとともに、多数の信号配線を形成して構成される。この信号配線の中には、駆動用ＩＣＳＤ１から出力されたソース信号（画素に印加する表示電圧）を前記ソース信号線の入力端子に供給するための複数のソース信号出力用配線が含まれている。ソース駆動回路ＳＴ１と液晶表示パネル２とは、ソース信号出力用配線とソース信号線の入力端子とが電気的に接続されるように、異方性導電膜を介在して熱圧着することによって接続される。他のソース駆動回路ＳＴ２〜ＳＴ７についても、構成および液晶表示パネル２との接続関係は、ソース駆動回路ＳＴ１と同様である。
【００３０】
また、ゲート信号線の入力端子には、ゲート駆動回路ＧＴ１が接続される。図１では、１つのゲート駆動回路ＧＴ１のみを示しているが、実際は複数個のゲート駆動回路が接続される。ゲート駆動回路ＧＴ１は、ＴＣＰによって構成され、具体的にはフレキシブル基板ＧＢ１上に駆動用ＩＣＧＤ１を実装するとともに、多数の信号配線を形成して構成される。この信号配線の中には、駆動用ＩＣＧＤ１から出力されたゲート信号（ＴＦＴのオン／オフ電圧）を前記ゲート信号線の入力端子に供給するための複数のゲート信号出力用配線が含まれている。ゲート駆動回路ＧＴ１と液晶表示パネル２とは、ゲート信号出力用配線とゲート信号の入力端子とが電気的に接続されるように、異方性導電膜を介在して熱圧着することによって接続される。図示しない他のゲート駆動回路についても、構成および液晶表示パネル２との接続関係は、ゲート駆動回路ＧＴ１と同様である。
【００３１】
このように液晶表示パネル２の周縁部には、複数個の駆動回路ＳＴ１〜ＳＴ７，ＧＴ１が接続されている。これらの駆動回路ＳＴ１〜ＳＴ７，ＧＴ１は、制御回路３から供給される各種の電源電圧、画像データおよび制御信号によって動作する。制御回路３は、基板４上に制御用ＩＣ５、電源回路６および多数の信号配線を形成して構成される。制御回路３は、信号供給用ＦＰＣ（Flexible Printed Circuit：フレキシブル配線基板）７を介して液晶表示パネル２に接続される。制御用ＩＣ５は、液晶表示パネル２に表示させる画像データや、駆動回路ＳＴ１〜ＳＴ７，ＧＴ１を制御する制御信号などを出力する。また、電源回路６は、駆動用ＩＣＳＤ１〜ＳＤ７，ＧＤ１の動作電源となるアナログ電源電圧や液晶表示パネル２の階調表示を行うための階調電源電圧などの各種電源電圧を生成して出力する。
【００３２】
制御回路３から出力された画像データ、制御信号、各種電源電圧を含む各種信号は、信号供給用ＦＰＣ７を介して液晶表示パネル２に供給される。液晶表示パネル２の周縁部には、信号供給用ＦＰＣ７とソース駆動回路ＳＴ１およびゲート駆動回路ＧＴ１とを接続するための接続用配線とともに、隣接する駆動回路どうしを接続するための接続用配線が形成されている。これによって、制御回路３から供給された各種信号は、図１に示すように、ソース駆動回路ＳＴ１から隣接するソース駆動回路ＳＴ２〜ＳＴ７に順次伝送されていく。また、図１には記載していないが、ゲート駆動回路についてもソース駆動回路ＳＴと同様に、制御回路３から供給された各種信号は、ゲート駆動回路ＧＴ１から隣接するゲート駆動回路に順次伝送されていく。
【００３３】
本実施形態では、このような構成の液晶表示装置１において、電源電圧供給方向の上流側に位置するソース駆動回路ＳＴｉ（ｉ＝１〜６）の駆動用ＩＣＳＤｉに対して、該駆動用ＩＣＳＤｉから電源電圧供給方向の下流側に隣接する駆動回路ＳＴｉ＋１の駆動用ＩＣＳＤｉ＋１までの信号配線とほぼ等価な配線抵抗算出用配線を形成している。等価とは、形成状態が同じであることを意味し、具体的には同じ材料で、長さ、幅、厚みがほぼ同じであること、あるいは、同じ材料や長さ、幅、厚みに限定されずに配線抵抗値が近似値であることを意味する。
【００３４】
そして、上流側駆動用ＩＣＳＤｉは、前記配線抵抗算出用配線の一端に算出用電圧を印加して他端の電圧を検出することによって配線抵抗値を算出し、算出した配線抵抗値に基づいて電圧降下値を算出し、算出した電圧降下値分だけ電圧値を引き上げた電源電圧を下流側駆動回路ＳＴｉ＋１に向けて出力するように構成されている。以下、配線抵抗算出用配線および駆動用ＩＣＳＤｉについて説明する。
【００３５】
図２は、液晶表示パネル２とソース駆動回路ＳＴｉとの接続関係を説明するための平面図である。ソース駆動回路ＳＴｉは、矩形状のフレキシブル基板ＳＢｉ上に駆動用ＩＣＳＤｉを実装するとともに、多数の信号配線群Ａｉ，Ｂｉ，Ｃｉ，Ｄｉ，Ｅｉおよび信号配線Ｒａｉ，Ｒｃｉを形成して構成されている。なお、信号配線群および信号配線は、フレキシブル基板ＳＢｉが液晶表示パネル２に対向する表面側（裏側）に形成されているが、わかりやすくするために図２では液晶表示パネル２に対向する表面とは反対側（表側）に信号配線を記載し、駆動用ＩＣＳＤｉは実装位置を二点差線で示している。
【００３６】
フレキシブル基板ＳＢｉには、電源電圧入力用配線群Ａｉと、制御信号入力用配線群Ｂｉと、ソース信号出力用配線群Ｃｉと、制御信号出力用配線群Ｄｉと、電源電圧出力用配線群Ｅｉとが形成されている。さらに、フレキシブル基板ＳＢｉには、配線抵抗算出用配線Ｒｉを構成する算出用電圧出力側配線Ｒａｉと検出電圧入力側配線Ｒｃｉとが形成されている。
【００３７】
フレキシブル基板ＳＢｉでは、２つの長辺のうちの一辺側が液晶表示パネル２と接続するための接続部となっている。電源電圧入力用配線群Ａｉは、前記接続部から駆動用ＩＣＳＤｉの電源電圧入力端子まで形成されている。制御信号入力用配線群Ｂｉは、前記接続部から駆動用ＩＣＳＤｉの制御信号入力端子まで形成されている。ソース信号出力用配線群Ｃｉは、駆動用ＩＣＳＤｉのソース信号出力端子から前記接続部まで形成されている。制御信号出力用配線群Ｄｉは、駆動用ＩＣＳＤｉの制御信号出力端子から前記接続部まで形成されている。電源電圧出力用配線群Ｅｉは、駆動用ＩＣＳＤｉの電源電圧出力端子から前記接続部まで形成されている。また、算出用電圧出力側配線Ｒａｉは、駆動用ＩＣＳＤｉの算出用電圧出力端子から前記接続部まで形成されている。検出電圧入力側配線Ｒｃｉは、前記接続部から駆動用ＩＣＳＤｉの検出端子まで形成されている。
【００３８】
一方、液晶表示パネル２の周縁部には、上述したように、ソース信号線を端部まで延ばすことによって形成したソース信号入力端子群Ｈｉが配置されており、ソース駆動回路ＳＴｉは、フレキシブル基板ＳＢｉのソース信号出力用配線群Ｃｉとソース信号入力端子群Ｈｉとが重なり合って接続されるように、液晶表示パネル２の周縁部に接続される。
【００３９】
また、液晶表示パネル２の周縁部には、ソース駆動回路ＳＴｉと信号の伝送方向上流側に隣接するソース駆動回路ＳＴｉ−１とを接続するための接続配線群Ｆｉ，Ｇｉが形成されるとともに、ソース駆動回路ＳＴｉと信号の伝送方向下流側に隣接するソース駆動回路ＳＴｉ＋１とを接続するための接続配線群Ｆｉ＋１，Ｇｉ＋１が形成されている。
【００４０】
接続配線群Ｆｉは、制御信号用の接続配線群であり、上流側ソース駆動回路ＳＴｉ−１の接続場所からソース駆動回路ＳＴｉの接続場所まで形成されている。具体的には、制御信号用接続配線群Ｆｉは、上流側ソース駆動回路ＳＴｉ−１の制御信号出力用配線群Ｄｉ−１に重なる位置から、ソース駆動回路ＳＴｉの制御信号入力用配線群Ｂｉに重なる位置まで、略Ｕ字状に形成されている。
【００４１】
接続配線群Ｇｉは、電源電圧用の接続配線群であり、上流側ソース駆動回路ＳＴｉ−１の接続場所からソース駆動回路ＳＴｉの接続場所まで形成されている。具体的には、電源電圧用接続配線群Ｇｉは、上流側ソース駆動回路ＳＴｉ−１の電源電圧出力用配線群Ｅｉ−１に重なる位置から、ソース駆動回路ＳＴｉの電源電圧入力用配線群Ａｉに重なる位置まで、略Ｕ字状に形成されている。
【００４２】
また、接続配線群Ｆｉ＋１は、制御信号用の接続配線群であり、ソース駆動回路ＳＴｉの接続場所から下流側ソース駆動回路ＳＴｉ＋１の接続場所まで形成されている。具体的には、制御信号用接続配線群Ｆｉ＋１は、ソース駆動回路ＳＴｉの制御信号出力用配線群Ｄｉに重なる位置から、下流側ソース駆動回路ＳＴｉ＋１の制御信号入力用配線群Ｂｉ＋１に重なる位置まで、略Ｕ字状に形成されている。
【００４３】
接続配線群Ｇｉ＋１は、電源電圧用の接続配線群であり、ソース駆動回路ＳＴｉの接続場所から下流側ソース駆動回路ＳＴｉ＋１の接続場所まで形成されている。具体的には、電源電圧用接続配線群Ｇｉ＋１は、ソース駆動回路ＳＴｉの電源電圧出力用配線群Ｅｉに重なる位置から、下流側ソース駆動回路ＳＴｉ＋１の電源電圧入力用配線群Ａｉ＋１に重なる位置まで、略Ｕ字状に形成されている。
【００４４】
さらに、液晶表示パネル２の周縁部には、配線抵抗算出用配線Ｒｉを構成するパネル側配線Ｒｂｉが形成されている。パネル側配線Ｒｂｉは、ソース駆動回路ＳＴｉの算出用電圧出力側配線Ｒａｉに重なる位置から、ソース駆動回路ＳＴｉの検出電圧入力側配線Ｒｃｉに重なる位置まで、液晶表示パネル２の周縁部を引き回されて形成されている。
【００４５】
配線抵抗算出用配線Ｒｉは、算出用電圧出力側配線Ｒａｉと、パネル側配線Ｒｂｉと、検出電圧入力側配線Ｒｃｉとで構成される。配線抵抗算出用配線Ｒｉは、駆動用ＩＣＳＤｉから電源電圧供給方向の下流側に隣接する駆動回路ＳＴｉ＋１の駆動用ＩＣＳＤｉ＋１までの信号配線と、同じ材料で、長さ、幅、厚みがほぼ同じになるように形成する。
【００４６】
上述したような配線群および配線を形成することによって、ソース駆動回路ＳＴｉを液晶表示パネル２の周縁部に接続すると、上流側ソース駆動回路ＳＴｉ−１から出力された制御信号および電源電圧は、制御信号用接続配線群Ｆｉおよび電源電圧用接続配線群Ｇｉを介してソース駆動回路ＳＴｉに供給される。また、ソース駆動回路ＳＴｉから出力された制御信号および電源電圧は、制御信号用接続配線群Ｆｉ＋１および電源電圧用接続配線群Ｇｉ＋１を介して、下流側ソース駆動回路ＳＴｉ＋１に供給される。
【００４７】
このようにして順次伝送される制御信号には、駆動用ＩＣＳＤｉの動作クロック信号や画像データが含まれている。また、順次伝送される電源電圧には、駆動用ＩＣＳＤｉ内部のアナログ回路の動作電源となるアナログ電源電圧や、互いに電圧値が異なる複数の階調電源電圧が含まれている。複数の階調電源電圧は、液晶表示パネル２で階調表示を行う際に、画像データに基づいていずれか１つあるいは２つの電圧が選択され、駆動用ＩＣＤＳｉ内部のラダー抵抗によって所定の電圧がソース信号として液晶表示パネル２に供給されるものである。
【００４８】
ソース駆動回路ＳＴｉの駆動用ＩＣＳＤｉは、供給されるアナログ電源電圧を動作電源として動作し、クロック信号や表示データなどの制御信号に基づいて所定の制御処理を実行し、ソース信号を液晶表示パネル２に出力する。
【００４９】
また駆動用ＩＣＳＤｉは、配線抵抗算出用配線Ｒｉの一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側ソース駆動回路ＳＴｉ＋１に向けて出力する。出力された電源電圧は、フレキシブル基板ＳＢｉ上の電源電圧出力用配線群Ｅｉおよび液晶表示パネル２上の電源電圧用接続配線Ｇｉ＋１を通って、下流側ソース駆動回路ＳＴｉ＋１の駆動用ＩＣに供給される。
【００５０】
続いて、駆動用ＩＣＳＤｉの構成例を説明する。図３は、駆動用ＩＣＳＤｉの構成を示すブロック図である。なお、図３では、配線抵抗値の算出のための構成と、電源電圧の電圧値の加算のための構成とを示し、駆動用ＩＣＳＤｉが本来行う液晶表示パネル２の表示制御のための構成は省略する。
【００５１】
制御回路３の電源回路６または上流側駆動用ＩＣＳＤｉ−１からのアナログ電源電圧は、アナログ電源電圧入力端子１１に入力され、階調電源電圧は階調電源電圧入力端子１２に入力される。アナログ電源電圧は、ＩＣ内部のアナログ回路の動作電源として、ソース信号を作成する信号作成回路を含む複数のブロックへそれぞれ供給されるとともに、アナログ電源電圧加算部１３および配線抵抗算出用電圧作成部１４に供給される。また、階調電源電圧は、ソース信号を作成する信号作成回路へ供給されるとともに、階調電源電圧加算部１５に供給される。
【００５２】
配線抵抗算出用電圧作成部１４は、配線抵抗を算出するために用いる算出用電圧を作成して、算出用電圧出力端子１６に供給する。算出用電圧出力端子１６には、配線抵抗算出用配線Ｒｉの一端、正確には算出用電圧出力側配線Ｒａｉの端部が接続されており、算出用電圧は配線抵抗算出用配線Ｒｉに供給される。配線抵抗算出用配線Ｒｉの他端、正確には検出電圧入力側配線Ｒｃｉの端部は、検出端子１７に接続されており、配線抵抗算出用配線Ｒｉの他端から出力される検出電圧は、検出端子１７に入力される。
【００５３】
検出端子１７に入力された検出電圧は、配線抵抗算出部１８に供給される。また、配線抵抗算出部１８には、算出用電圧出力端子１６に供給された算出用電圧も供給される。配線抵抗算出部１８は、算出用電圧の電圧値と検出電圧の電圧値との差を求め、求めた差に基づいて配線抵抗値を算出する。算出された配線抵抗値は、アナログ電源電圧加算部１３および階調電源電圧加算部１５に供給される。
【００５４】
アナログ電源電圧加算部１３は、供給された配線抵抗値に基づいて、配線抵抗による電圧降下分の電圧値（電圧降下値）を算出し、アナログ電源電圧入力端子１１から供給されたアナログ電源電圧の電圧値に、算出した電圧降下値分だけ加算して（電圧値を引き上げて）、電圧値が加算された（引き上げられた）アナログ電源電圧を、アナログ電源電圧出力端子１９に供給する。アナログ電源電圧出力端子１９に供給されたアナログ電源電圧は、下流側のソース駆動回路ＳＴｉ＋１の駆動用ＩＣＳＤｉ＋１に供給される。
【００５５】
また、階調電源電圧加算部１５は、供給された配線抵抗値に基づいて、配線抵抗による電圧降下分の電圧値（電圧降下値）を算出し、階調電源電圧入力端子１２から供給された階調電源電圧の電圧値に算出した電圧降下分だけ加算して、電圧値が加算された階調電源電圧を、階調電源電圧出力端子２０に供給する。階調電源電圧出力端子２０に供給された階調電源電圧は、下流側のソース駆動回路ＳＴｉ＋１の駆動用ＩＣＳＤｉ＋１に供給される。
【００５６】
なお、図３では、階調電源電圧入力端子１２、階調電源電圧加算部１５および階調電源電圧出力端子２０は、それぞれ１つずつしか示していないけれども、上述したように駆動用ＩＣＳＤｉには電圧値が互いに異なる複数の階調電源電圧が供給されているので、各階調電源電圧に対応して、階調電源電圧入力端子１２、階調電源電圧加算部１５および階調電源電圧出力端子２０が設けられている。
【００５７】
以上のように液晶表示装置１では、ソース駆動回路ＳＴｉの駆動用ＩＣＳＤｉは、配線抵抗算出用配線Ｒｉを用いて算出した電圧降下値分だけ電圧値を引き上げた電源電圧を下流側ソース駆動回路ＳＴｉ＋１に向けて出力する。出力された電源電圧は、ソース駆動回路ＳＴｉを構成するフレキシブル基板ＳＢｉ上の電源電圧出力用配線群Ｅｉ、液晶表示パネル２の電源電圧用接続配線群Ｇｉ、下流側駆動回路ＳＴｉ＋１の電源電圧入力用配線群Ａｉ＋１を通って、下流側駆動回路ＳＴｉ＋１の駆動用ＩＣＳＤｉ＋１に供給される。
【００５８】
下流側の駆動用ＩＣＳＤｉ＋１に供給される電源電圧は、配線を通ることによって電圧値が降下するけれども、上流側駆動用ＩＣＳＤｉから出力される時点で電圧降下値分だけ予め電圧値が引き上げられているので、下流側駆動用ＩＣＳＤｉ＋１に供給される電源電圧は、駆動用ＩＣが正常に動作するのに必要な電圧値となる。したがって、下流側駆動用ＩＣＳＤｉ＋１には、それぞれ適正な電圧値の電源電圧が供給されるので、駆動用ＩＣＳＤの誤動作を防止することができる。これによって、液晶表示装置１を正常に動作させることができる。
【００５９】
また、液晶表示装置１では、ソース駆動回路ＳＴｉを構成するフレキシブル基板ＳＢｉから液晶表示パネル２を経由して再びフレキシブル基板ＳＢｉに戻るように配線抵抗算出用配線Ｒｉを形成しているので、駆動用ＩＣＳＤｉから下流側ソース駆動用ＩＣＳＤｉ＋１までの信号配線とほぼ等価な条件の配線抵抗算出用配線Ｒｉを形成することができる。
【００６０】
すなわち、駆動用ＩＣＳＤｉと下流側駆動用ＩＣＳＤｉ＋１との間の電源電圧用配線は、ソース駆動回路ＳＴｉのフレキシブル基板ＳＢｉ上の電源電圧出力用配線群Ｅｉと、液晶表示パネル２上の電源電圧用接続配線群Ｇｉ＋１と、下流側ソース駆動回路ＳＴｉ＋１のフレキシブル基板ＳＢｉ＋１上の電源電圧入力用配線群Ａｉとの３つの配線に区分される。一方、配線抵抗算出用配線Ｒｉも、ソース駆動回路ＳＴｉを構成するフレキシブル基板ＳＢｉから液晶表示パネル２を経由して再びフレキシブル基板ＳＢｉに戻るように形成されているので、フレキシブル基板ＳＢｉ上の第１の配線である算出用電圧出力側配線Ｒａｉと、液晶表示パネル２上のパネル側配線Ｒｂｉと、フレキシブル基板ＳＢｉ上の第２の配線である検出電圧入力側配線Ｒｃｉとの３つの配線に区分される。
【００６１】
そして、算出用電圧出力側配線Ｒａｉがソース駆動回路ＳＴｉのフレキシブル基板ＳＢｉ上の電源電圧出力用配線Ｅｉに対応し、液晶表示パネル２上のパネル側配線Ｒｂｉが液晶表示パネル２上の電源電圧用接続配線群Ｇｉに対応し、検出電圧入力側配線Ｒｃｉが下流側ソース駆動回路ＳＴｉ＋１のフレキシブル基板ＳＢｉ上の電源電圧入力用配線群Ａｉ＋１に対応することになる。したがって、駆動用ＩＣＳＤｉから下流側駆動用ＩＣＳＤｉ＋１までの信号配線とほぼ等価な条件で配線抵抗算出用配線Ｒｉを形成することができる。これによって、駆動用ＩＣＳＤｉから下流側駆動用ＩＣＳＤｉ＋１までの信号配線の配線抵抗値および電圧降下値を、精度よく求めることができる。
【００６２】
ところで、駆動用ＩＣＳＤｉと下流側駆動用ＩＣＳＤｉ＋１との間の信号配線の材料、長さ、幅、厚みは、液晶表示装置１の設計段階で予め決定されるものである。したがって、設計段階で決定された材料、長さ、幅、厚みの信号配線を別途作成して配線抵抗値を測定し、得られた配線抵抗値をメモリに記憶させておき、記憶されている配線抵抗値を用いて電圧降下値を算出し、算出した電圧降下値分だけアナログ電源電圧や階調電源電圧を加算する方式を採用することも可能である。しかしながら、この方式は、以下の問題が生じるため好ましくない。
【００６３】
まず第１に、液晶表示パネル２とソース駆動回路ＳＴとは、異方性導電膜を介在して熱圧着することによって接続されるので、接続部分に圧着抵抗が発生する。そのため、別途作成した信号配線では、圧着抵抗の影響を考慮することが困難であり、正確な配線抵抗値を測定することができないという問題がある。
【００６４】
第２に、信号配線の材料、長さ、幅、厚みは、液晶表示装置１の設計段階で予め決定されるものではあるが、実際に液晶表示パネル２やソース駆動回路ＳＴを製造する際には、信号配線の長さ、幅、厚みにはそれぞれ公差がついており、製造上のばらつきが発生する。したがって、別途作成した信号配線と、実際に製造した液晶表示装置１における信号配線とでは、長さ、幅、厚みが完全に同じものになるわけではないので、別途作成した信号配線では、正確な配線抵抗値を測定することができないという問題がある。
【００６５】
第３に、予め測定した配線抵抗値をメモリに記憶させる場合、メモリの配置場所が問題となる。まず、駆動用ＩＣの外部にメモリを設けることは、新たな部品を追加することになるので、コストアップの要因となる。また、駆動用ＩＣの内部にメモリを設ける場合も、新たな部品を追加することになるので、やはりコストアップの要因となる。さらに、駆動用ＩＣ内の既存のメモリを利用すれば、新たな部品を追加することによるコストアップは生じないけれども、液晶表示装置１の規格が変わればその配線抵抗値の値もかわるので、駆動用ＩＣの汎用性がなくなり、液晶表示装置１の規格が変わるたびに新しい駆動用ＩＣを作成しなければならず、コストアップの要因となる。
【００６６】
以上のことから、本実施形態のように実際に配線抵抗算出用配線Ｒｉを液晶表示装置１に作成して配線抵抗値を測定して用いる方式の方が、正確な配線抵抗値を得ることができ、信号配線による電源電圧の電圧降下を適切に補償することができる。
【００６７】
また、液晶表示装置１では、駆動用ＩＣＳＤｉの動作用のアナログ電源電圧および液晶表示パネル２に供給する階調電源電圧を、配線抵抗による電圧降下値分だけそれぞれ加算して駆動用ＩＣＳＤｉに供給するようにしている。したがって、各駆動用ＩＣＳＤに動作用の電源電圧が適正な電圧値で供給されるので、駆動用ＩＣＳＤの誤動作が防止される。また、各駆動用ＩＣＳＤに階調電源電圧が適正な電圧値で供給されるので、各駆動用ＩＣＳＤから液晶表示パネル２にそれぞれ適正なソース信号を供給することができ、階調のばらつきなどの表示ムラが低減され、液晶表示装置１の表示品位を向上することができる。
【００６８】
なお、上記の説明では、ソース駆動回路ＳＴに関して説明したけれども、ゲート駆動回路ＧＴに関しても、同様に実施することができる。また、液晶表示装置１に限らず、表示パネルの周縁部に複数の駆動回路が並べて接続される構造を持つ表示装置であれば、同様に実施すること可能である。さらに、液晶表示パネルの周縁部（ガラス基板）に駆動用ＩＣを直接実装するいわゆるＣＯＧ（Chip On Glass）方式の液晶表示装置についても、同様に実施することができる。
【００６９】
また、制御回路３に関しても、ソース駆動回路ＳＴと同様に、配線抵抗算出用配線を形成し、電源回路６から電源電圧を出力する際に、電圧降下値分の電圧値を引き上げて電源電圧を出力するようにしてもよい。
【００７０】
また図１に示す構成例では、１つの信号供給用ＦＰＣ７を液晶表示パネル２の角部に接続しているけれども、もう１つの信号供給用ＦＰＣを液晶表示パネル２の真ん中あたりに接続するようにしてもよい。
【００７１】
また、図３では、アナログ電源電圧加算部１３が存在しているが、アナログ電源電圧加算部１３をとってしまう構成も考えられる。この場合は、配線抵抗で電圧降下が生じても誤動作しないように、アナログ電源電圧を充分に高い値にすればよい。
【図面の簡単な説明】
【００７２】
【図１】本発明の一実施形態である液晶表示装置１の概略的構成を示す平面図である。
【図２】液晶表示装置１を構成する液晶表示パネル２とソース駆動回路ＳＴｉとの接続関係示す平面図である。
【図３】ソース駆動回路ＳＴｉが備える駆動用ＩＣＳＤｉの構成を示すブロック図である。
【符号の説明】
【００７３】
１    液晶表示装置
２    液晶表示パネル
３    制御回路
４    基板
５    制御用ＩＣ
６    電源回路
７    信号供給用ＦＰＣ
１１    アナログ電源電圧入力端子
１２    階調電源電圧入力端子
１３    アナログ電源電圧加算部
１４    配線抵抗算出用電圧作成部
１５    階調電源電圧加算部
１６    算出用電圧出力端子
１７    検出端子
１８    配線抵抗算出部
１９    アナログ電源電圧出力端子
２０    階調電源電圧出力端子
ＳＴ１〜ＳＴ７  ソース駆動回路
ＳＢ１〜ＳＢ７  フレキシブル基板
ＳＤ１〜ＳＤ７  駆動用ＩＣ
ＧＴ１  ゲート駆動回路
ＧＢ１  フレキシブル基板
ＧＤ１  駆動用ＩＣ
Ａｉ    電源電圧入力用配線群
Ｂｉ    制御信号入力用配線群
Ｃｉ    ソース信号出力用配線群
Ｄｉ    制御信号出力用配線群
Ｅｉ    電源電圧出力用配線群
Ｆｉ    制御信号用接続配線群
Ｇｉ    電源電圧用接続配線群
Ｈｉ    ソース信号入力端子群
Ｒｉ    配線抵抗算出用配線
Ｒａｉ  算出用電圧出力側配線
Ｒｂｉ  パネル側配線
Ｒｃｉ  検出電圧入力側配線
【図１】
2005284026.tif 000003
【図２】
2005284026.tif 000004
【図３】
2005284026.tif 000005